(57)【特許請求の範囲】
【請求項１】
１フレームが、印加される発光パルスの数が異なる複数のサブフィールドを含んで構成され、前記複数のサブフィールドの組み合わせで中間調を表示するプラズマディスプレイ装置の駆動方法であって、
前記プラズマディスプレイ装置に入力される表示データの表示負荷率が増加した場合に前記1フレームにおいて印加される総発光パルス数を減少させるように制御し、かつ、前記総発光パルス数が制御される前記表示負荷率の全範囲にわたって、前記１フレームを構成する前記サブフィールドの中で前記発光パルスの数の最も少ないサブフィールドを含む複数のサブフィールドの前記発光パルスの数を前記総発光パルス数によらず固定とすると共に、前記発光パルスの数を固定とするサブフィールドの前記発光パルスの数は各サブフィールドで全て異なるように成し、前記発光パルス数を固定とするサブフィールドは前記発光パルス数を固定とするサブフィールド以外のサブフィールドよりも発光パルス数が少ないことを特徴とするプラズマディスプレイ装置の駆動方法。
【請求項２】
請求項１に記載のプラズマディスプレイ装置の駆動方法において、
前記発光パルス数を固定とするサブフィールド以外の少なくとも１つのサブフィールドの発光パルス数を変えることにより総発光パルス数を減少させることを特徴とするプラズマディスプレイ装置の駆動方法。
【発明の詳細な説明】
【０００１】
【発明の属する技術分野】
本発明は、表示装置およびその駆動方法に関し、特に、プラズマディスプレイパネル（ＰＤＰ：Plasma Display Panel）のような各フィールド内に複数の発光パルスで構成される複数の発光ブロックを有し、その発光ブロックの組み合わせで中間調を表示する表示装置およびそのような表示装置の駆動方法に関する。
【０００２】
近年、表示装置の大型化に伴って薄型の表示装置が要求され、各種類の薄型の表示装置が提供されている。例えば、ディジタル信号のままで表示するマトリックスパネル、すなわち、ＰＤＰ等のガス放電パネルや、ＤＭＤ（Digital Micromirror Device）、ＥＬ表示素子、蛍光表示管、液晶表示素子等のマトリックスパネル等が提供されている。このような薄型の表示装置のうち、ガス放電パネルは、簡易なプロセスのため大画面化が容易であること、自発光タイプで表示品質が良いこと、並びに、応答速度が速いこと等の理由から大画面で直視型のＨＤＴＶ（高品位テレビ）用表示デバイスの最有力候補として考えられている。
【０００３】
例えば、ＰＤＰにおいては、各々のフィールド内に複数の発光パルスで構成される複数の発光ブロック（サブフィールド：ＳＦ）を有し、その発光ブロックの組み合わせで中間調を表示している。このＰＤＰの発光によって消費する電力は、発光に寄与する発光パルス（維持放電パルス：サスティンパルス）の数にほぼ比例しており、それぞれのフィールド内の総発光パルス数を制御することで、ＰＤＰの消費電力を制御することができる。発光パルス数の制御は、画質劣化要因を作ることなく制御しなければならないが、決められた発光パルス数を各サブフィールドに振り分ける場合、総発光パルス数によっては階調に不連続部分が発生する。そこで、発光ブロックの組み合わせで中間調を表示する表示装置において、不連続部分（段差）となっている階調を滑らかに輝度が変化するように制御して発光の連続性を補償すると共に、発光によって消費する電力を制御することのできる表示装置およびその駆動方法の提供が要望されている。
【０００４】
なお、本明細書において、「フィールド」なる文言は、例えば、１フレームの画像をインターレース表示する奇数および偶数の２つのフィールドで構成する場合を想定して使用しているが、例えば、１フレームの画像をプログレッシブ表示する場合には、「フィールド」なる文言はそのまま「フレーム」に置き換えて適用することができる。
【０００５】
【従来の技術】
従来、発光パルスの設定は、例えば、表示データからフレーム毎の表示負荷率を計算し、それぞれのフレーム（フィールド）でその表示負荷率を基に算出して行われ、表示装置の消費電力が一定値を越えないように制御されている。このような技術を開示する文献としては、例えば、日本国特開平０６−３３２３９７号公報および特開２０００−０９８９７０号公報が挙げられる。
【０００６】
具体的に、特開平０６−３３２３９７号公報は、所定期間中に与えられる所定レベルの画素信号数を積算する積算手段と、この積算手段の積算結果に基づいてパネル駆動周波数を変更する周波数変更手段とを備えたフラットパネルディスプレイ装置を開示しており、また、特開２０００−０９８９７０号公報は、所定期間中に与えられる画素信号数を階調表示のためのビット信号単位で積算する積算手段と、この積算手段の積算結果に基づいて維持放電波形の周波数を変更する周波数変更手段とを備えたプラズマディスプレイ装置を開示している。
【０００７】
図１は本発明が適用される表示装置の一例を示すブロック図であり、プラズマディスプレイ装置（プラズマディスプレイパネル：ＰＤＰ）の一例を示すものである。図１において、参照符号１はデータコンバータ、２はフレームメモリ、３は電力制御回路、４はドライバ制御回路、５は電源、６はアドレスドライバ、７はＹドライバ、８はＸドライバ、そして、９は表示パネルを示している。
【０００８】
図１に示されるように、データコンバータ１は、外部からの画像信号および垂直同期信号Ｖsyncを受け取って、ＰＤＰ用のデータ（複数の発光ブロック（サブフィールドＳＦ）により画像を表示するためのデータ）に変換する。フレームメモリ２は、データコンバータ１でＰＤＰ用に変換された次のフィールド用のデータを保持する。そして、データコンバータ１は、それまでフレームメモリ２に保持されていたデータをアドレスドライバ６へアドレスデータとして供給すると共に、その表示負荷率をドライバ制御回路４に与える。ここで、表示負荷率とは、各発光ブロックにおける点灯セル（発光するドット）の数をカウントして得られる負荷率である。
【０００９】
ドライバ制御回路４は、電力制御回路３から各発光ブロック（ＳＦ）の発光パルス数（サスティンパルス数）の制御信号および内部で発生された垂直同期信号Ｖsync2を受け取って、Ｙドライバ７に駆動制御データを供給する。なお、データコンバータ１からの表示負荷率のデータ信号は、ドライバ制御回路４を介して電力制御回路３に供給される。
【００１０】
表示パネル９には、アドレス電極Ａ１〜Ａｍ、Ｙ電極Ｙ１〜ＹｎおよびＸ電極Ｘが設けられていて、それぞれアドレスドライバ６、Ｙドライバ７およびＸドライバ８により駆動される。電源５は、アドレスドライバ６、Ｙドライバ７およびＸドライバ８に対して電力を供給すると共に、これらアドレスドライバ６、Ｙドライバ７およびＸドライバ８に対する電圧および電流を検出して電力制御回路３に与える。すなわち、アドレスドライバ６のアドレス電圧および電流、並びに、Ｙドライバ７とＸドライバ８のサスティン電圧および電流の検出値が電源５から電力制御回路３に供給され、電力制御回路３における処理に使用される。ここで、表示パネル部は、アドレスドライバ６、Ｙドライバ７、Ｘドライバ８および表示パネル９を備えて構成される。
【００１１】
図２は図１に示す表示装置における駆動方法の一例を説明するための図である。
【００１２】
図２に示す駆動方法は、１フレームの画像を奇数および偶数の２つのフィールドでインターレースにより表示するもので、各奇数フィールドおよび偶数フィールドは、それぞれ複数の発光ブロック（サブフィールド：例えば、７つのサブフィールドＳＦ０〜ＳＦ６）で構成される。各発光ブロックＳＦ０〜ＳＦ６は、アドレスデータに応じて点灯セルのアドレス放電を行うアドレス期間、および、選択されたセル（点灯セル）に対して発光パルス（サスティンパルス）を与えて発光させる発光期間（維持放電期間）を有している。
【００１３】
図３は総発光パルス数を各サブフィールドの重み比に応じて振り分ける様子を示す図である。
【００１４】
図３に示されるように、表示負荷率によって決まる総発光パルス数は、各サブフィールドの重み比率に従って振り分けられる。すなわち、例えば、総発光パルス数が５０８発のとき、各サブフィールドＳＦ０〜ＳＦ６の発光パルス数は、それぞれの重みに応じてＳＦ０＝４，ＳＦ１＝８，ＳＦ２＝１６，ＳＦ３＝３２，ＳＦ４＝６４，ＳＦ５＝１２８，ＳＦ６＝２５６として振り分けられる。
【００１５】
図４は従来の表示装置の駆動方法における課題を説明するための図であり、図４（ａ）は発光パルス数と輝度との間の関係を示し、また、図４（ｂ）は入力階調と出力輝度との関係を示している。
【００１６】
図４（ａ）に示されるように、発光パルス数と輝度との間には、蛍光体の輝度飽和が存在するため、両者の関係は正比例とならず、各サブフィールド（ＳＦ）の輝度が想定している輝度に満たないことによる輝度段差（図４（ｂ）参照）、或いは、逆に重ね合わせ処理等により本来点灯していない画素へ放電が広がることによる輝度段差等が発生する。
【００１７】
すなわち、総発光パルス数を各サブフィールドの重み比に応じて振り分けるだけでは、階調の連続性を確保することができない。そこで、各サブフィールドに対して輝度飽和を考慮した光パルス数の加算処理を行ったり、或いは、放電の広がりによる輝度増加を考慮した光パルス数の減算処理を行うことが考えられている。
【００１８】
上述したように、各サブフィールドの光パルス数を調整するだけでは、完全に階調の連続性を確保することはできない。これは、各サブフィールド単独の輝度は重み比率通りであっても、発光サブフィールドの組み合わせにより輝度段差が発生するためである。
【００１９】
この輝度段差に対して、従来、階調の連続性を補償する発光ＳＦ（サブフィールド）パターンをテーブル（メモリ）で保持し、発光サブフィールドの組み合わせを工夫することでその段差を補正することが提案されている。さらに、関連技術として、発光ＳＦパターンを保持するテーブルを設けることなく、演算を行って輝度段差の補償を行うことが考えられている。
【００２０】
図５は関連技術としての表示装置における駆動方法の一例を説明するための図であり、図６は図５の駆動方法を実現するための一構成例を示すブロック図である。図６において、参照符号１０１は画像処理部、１０２は誤差拡散処理部、１０３は加算・減算判定部、１０４は加算・減算処理演算部、そして、１０５はサブフィールド（ＳＦ）データ変換部を示している。
【００２１】
図５に示す駆動方法は、入力階調レベルが３のとき輝度の理論値も３であるが、計算上の階調レベルが３のとき実際の輝度が１となるような場合、実際の輝度が理論値と同じ３となる計算上の階調レベル５を入力階調レベル３に対応させる演算を行うようになっている。
【００２２】
図６に示されるように、入力信号Ｄinは、画像処理部１０１を介して直ちに誤差拡散処理部１０２に供給され、誤差拡散処理が行われた画像信号に対して加算・減算判定部１０３の出力値が加算・減算処理演算部１０４において加算（減算）される。具体的に、図５に示すような場合、入力階調レベル３（入力階調レベル３以降）において輝度の理想値と−２の輝度段差が発生しているので、誤差拡散処理部１０２の出力を受け取って加算・減算判定を行う加算・減算判定部１０３は、入力階調レベル３で加算・減算処理演算部１０４に対して補償値『＋２』を出力し、これにより、誤差拡散処理部１０２の出力に＋２だけ加算された信号がＳＦデータ変換部１０５に供給される。
【００２３】
すなわち、ＳＦデータ変換部１０５は、入力階調レベル３以降において、入力階調レベルに『＋２』を加算した階調レベルを出力信号Ｄoutとして出力することにより、輝度の段差をなくして階調の連続性を保つような表示を行うようになっている。なお、図５および図６では、例えば、発光サブフィールドの組み合わせによる輝度段差が１個所だけ発生した場合を説明したが、実際には、これらの輝度段差は複数個所（例えば、６個所程度）存在し、各輝度段差個所で上記の加算（減算）処理を行うことになる。
【００２４】
【発明が解決しようとする課題】
前述したように、従来の階調の連続性を補償するために発光ＳＦパターンを保持するテーブルを使用する表示装置の駆動方法は、全てのサブフィールドの組み合わせを網羅する膨大なテーブル量を格納するために大容量のメモリ（テーブル）を必要とする。
【００２５】
図７は関連技術としての表示装置における駆動方法における課題を説明するための図である。
【００２６】
図７に示されるように、図５および図６を参照して説明した関連技術においては、例えば、演算（加算処理）を行うことで入力階調レベル３に対する輝度を「１４」とし、入力階調レベル２に対する輝度の「８」との輝度段差が「６」となる。なお、サブフィールドの重みの最小単位は「４」である。
【００２７】
このとき、関連技術において、輝度はサブフィールドの重みの最小単位「４」のステップでしか制御できないため、例えば、入力階調レベル３の輝度に対して階調レベルの『＋２』の加算処理をしたとしても完全に輝度段差を無くすことができない。
【００２８】
すなわち、関連技術の演算処理を使用した表示装置の駆動方法は、加算・減算処理を点灯サブフィールド決定の直前で行うため、サブフィールドの重みの最小単位でしか制御することができず、さらに、電力制御により総発光パルス数を変動させた時、各サブフィールドに設定される発光パルス数の比率が理想値からずれて連続性がなくなるといった課題がある。
【００２９】
本発明の目的は、上述した従来の表示装置における課題に鑑み、階調の連続性を保持したまま電力制御を行うことが可能な表示装置およびその駆動方法を提供することにある。
【００３０】
【課題を解決するための手段】
本発明は、１フレームが複数のサブフィールドを含んで構成され、前記複数のサブフィールドの少なくとも１つでは発光パルスが印加され、前記複数のサブフィールドの組み合わせで中間調を表示するプラズマディスプレイ装置の駆動方法であって、前記プラズマディスプレイ装置の制御回路は、プラズマディスプレイ装置に入力される表示データの表示負荷率が増加した場合に1フレームにおいて印加される総発光パルス数を減少させて印加し、かつ、前記１フレームを構成する一部のサブフィールドの発光パルス数を前記総発光パルス数によらず固定とする構成とする。
【００３７】
なお、本明細書において、「フィールド」なる文言は、例えば、１フレームの画像をインターレース表示する奇数および偶数の２つのフィールドで構成する場合を想定して使用しているが、例えば、１フレームの画像をプログレッシブ表示する場合には、「フィールド」なる文言はそのまま「フレーム」に置き換えて適用することができる。
【００３８】
【発明の実施の形態】
以下、本発明に係る表示装置およびその駆動方法の実施例を図面に従って詳述する。なお、本発明に係る表示装置およびその駆動方法は、インターレース方式のＰＤＰに限定されるものでなく、様々な表示装置に対して幅広く適用することができる。
【００３９】
図８は本発明に係る表示装置の駆動方法を実現するための一構成例を示すブロック図である。図８において、参照符号２０１は画像処理部、２０２は誤差拡散処理部、２０３は加算・減算判定部、２０４は加算・減算処理演算部、そして、２０５はサブフィールド（ＳＦ：発光ブロック）データ変換部を示している。なお、加算・減算判定部２０３および加算・減算処理演算部２０４は、階調連続性補償回路２００を構成している。
【００４０】
図８と前述した図６との比較から明らかなように、図８に示す構成では、誤差拡散演算処理部２０２の前段に、加算・減算処理判定部２０３および加算・減算処理演算部２０４を設けるようになっている。
【００４１】
図８に示されるように、入力信号Ｄinは、画像処理部２０１を介して加算・減算判定部２０３および加算・減算処理演算部２０４に供給され、加算・減算処理演算部２０４において、加算・減算判定部２０３の出力値が加算（減算）される。そして、加算・減算処理演算部２０４の出力は誤差拡散処理部２０２に供給され、演算処理（加算・減算処理）が行われた信号に対して誤差拡散処理が行われ、この誤差拡散処理が行われた信号がＳＦデータ変換部２０５に供給される。
【００４２】
図９は本発明に係る表示装置における階調連続性補償回路の一例を示すブロック回路図である。ここで、階調連続性補償回路２００は、図８における加算・減算判定部２０３および加算・減算処理演算部２０４に相当する。
【００４３】
図９に示されるように、階調連続性補償回路２００は、コンパレータ２１１、ＡＮＤゲート群２１２、プリアダー２１３、および、アダー２１４を備えている。コンパレータ２１１は、１０ビットの入力データＤI[9:0]の内の上位８ビット（ＤI[9:2]）を各８ビットの補正係数付加位置Ｙn[7:0]（Ｙ0[7:0]〜Ｙ15[7:0]：図１２参照）と比較し、その結果（出力Ｚ0〜Ｚ15）をＡＮＤゲート群２１２に出力する。なお、補正係数付加位置Ｙnは、Ｙ0〜Ｙ15の１６個所に限定されるものではなく、発光ブロックの構成等により様々に変化し得るのはいうまでもない。
【００４４】
ＡＮＤゲート群２１２は、コンパレータ２１１の各出力（Ｚ0〜Ｚ15）と各４ビットの補正係数Ｘn[3:0]（Ｘ0[3:0]〜Ｘ15[3:0]）との論理積をとる複数のＡＮＤゲートを備え、各４ビットのＡＮＤゲートの出力は、プリアダー２１３で加算され、８ビットの出力としてアダー２１４に供給される。アダー２１４は、入力データＤI[9:0]に対してプリアダー２０３の出力を加算し、１０ビットの出力ＤO[9:0]を出力する。
【００４５】
図１０は図９に示す階調連続性補償回路の動作の一例を説明するためのフローチャートであり、図１１は図９に示す階調連続性補償回路の動作の一例を説明するための図であり、そして、図１２は図９に示す階調連続性補償回路の動作の一例を説明するための出力輝度と入力階調との関係を示す図である。
【００４６】
まず、入力データＤinが画像処理部２０１を介して階調連続性補償回路２００（加算・減算判定部２０３）に入力されると、ステップＳＴ１において、入力データＤin（１０ビットの入力データＤI[9:0]）の内の上位８ビット（ＤI[9:2]）をＡとし（ＤI[9:2]＝Ａ）、補正係数付加位置をＹn[7:0]とし、そして、補正係数をＸn[3:0]と設定する。なお、階調連続性補償回路２００（加算・減算処理演算部２０４）の出力データ（１０ビットの出力データ）は、ＤO[9:0]と設定する。次に、ステップＳＴ２に進んで、ｎ＝０とし、さらに、ステップＳＴ３に進んで、ＡとＹnとの比較を行う（図９のコンパレータ２１１）。
【００４７】
ステップＳＴ３で、Ａ≧Ｙnが成り立つと判別されると、ステップＳＴ４に進んで、補正係数和Ｂ[7:0]に対して補正係数を加算（Ｂ[7:0]＝Ｂ[7:0]＋Ｘn[3:0]）する。さらに、ステップＳＴ５に進んで、ｎに１を加算（ｎ＝ｎ＋１）してステップＳＴ３に戻り、Ａ≧Ｙnが成立しない（Ａ＜Ｙnが成り立つ）と判別されるまで同様の処理を繰り返す。すなわち、全ての補正係数付加位置をＹn（例えば、１６個所の補正係数付加位置Ｙ0〜Ｙ15に対して補正係数Ｘn（Ｘ0〜Ｘ15）による補正を行う（図１２参照）。
【００４８】
そして、ステップＳＴ３で、Ａ≧Ｙnが成立しないと判別されると、ステップＳＴ６に進んで、入力データＤI[9:0]に対して補正係数和Ｂ[7:0]（図９のプリアダー２１３の出力）を加算して出力データＤO[9:0]を算出する（図９のアダー２１４）。
【００４９】
このようにして、図１１に示されるような、演算処理（入力データＤI[9:0]の輝度段差を補償する演算）が実行され、出力データＤO[9:0]が出力される。なお、階調連続性補償回路２００（加算・減算処理演算部２０４）の出力データは、次段の誤差拡散処理部２０２に供給されて誤差拡散処理が行われることになる。
【００５０】
図１３は本発明に係る表示装置の駆動方法の第１実施例を説明するための図である。
【００５１】
図１３と前述した図７との比較から明らかなように、本第１実施例においては、誤差拡散演算処理部２０２の前段に、加算・減算処理判定部２０３および加算・減算処理演算部２０４（階調連続性補償回路２００）を設けて演算処理を行うようになっているため、例えば、入力階調レベル３の輝度に対して階調レベルの『＋１．５』の加算処理を行うことが可能になる。すなわち、演算（加算処理）を行うことで入力階調レベル３に対する輝度を「１２」とし、入力階調レベル２に対する輝度の「８」との輝度段差を「４」とすることができるため、完全に輝度段差をなくすことが可能になる。なお、誤差拡散処理部２０２による誤差拡散処理は、上記の輝度段差が補償された加算・減算処理演算部２０４の出力に対して行われることになる。
【００５２】
図１４は本発明に係る表示装置の駆動方法の第２実施例を説明するための図である。
【００５３】
まず、各サブフィールドへの発光パルス（維持パルス：ＳＵＳ）数の振り分けを行ったとき、各サブフィールドにとっての発光パルス数の理想値が図１４の１項であると仮定する。すなわち、２５４の総発光パルス数をサブフィールドＳＦ０〜ＳＦ６に振り分ける場合、各サブフィールドＳＦ０，ＳＦ１，ＳＦ２，ＳＦ３，ＳＦ４，ＳＦ５，ＳＦ６の発光パルス数の理想値は、２，４，８，１６，３２，６４，１２８となる。
【００５４】
これに対して、電力制御により総発光パルス数を抑えると、例えば、図１４の２項に示されるように、総発光パルス数が２００に抑えられる場合、各サブフィールドＳＦ０，ＳＦ１，ＳＦ２，ＳＦ３，ＳＦ４，ＳＦ５，ＳＦ６の発光パルス数の値は、２，３，６，１３，２５，５０，１０１となる。これでは、上記の輝度理想値との間にずれが生じ、各サブフィールドの輝度比率がくずれることになる。このような輝度比率のずれは、特に、重みの小さいサブフィールド（例えば、ＳＦ０，ＳＦ１，ＳＦ２）で発生すると影響が大きいため、本第２実施例では、図１４の３項に示されるように、重みの小さいサブフィールドの発光パルス数を固定するようになっている。すなわち、本第２実施例においては、重みの小さいサブフィールド（ＳＦ０〜ＳＦ２）の輝度比率を固定とし、電力制御のために必要な発光パルス数の削減を重みの大きいサブフィールド（ＳＦ３〜ＳＦ６）で行うようになっている。なお、発光パルス数を減らした重みの大きいサブフィールドを点灯させる場合に発生する輝度段差は、前述した誤差拡散演算処理部２０２の前段に設けた加算・減算処理判定部２０３および加算・減算処理演算部２０４による演算で補償する。
【００５５】
図１５は本発明に係る表示装置の駆動方法の第３実施例を説明するための図である。
【００５６】
まず、各総発光パルス数に対する各サブフィールドにおける発光パルス数の理想値が図１５の１項〜４項であると仮定する。すなわち、各サブフィールドＳＦ０，ＳＦ１，ＳＦ２，ＳＦ３，ＳＦ４，ＳＦ５，ＳＦ６の発光パルス数の理想値は、例えば、総発光パルス数が１２７の場合、１，２，４，８，１６，３２，６４（図１５の１項：理想値１）となり、総発光パルス数が２５４の場合、２，４，８，１６，３２，６４，１２８（図１５の２項：理想値２）となり、総発光パルス数が３８１の場合、３，６，１２，２４，４８，９６，１９２（図１５の３項：理想値３）となり、そして、総発光パルス数が５０８の場合、４，８，１６，３２，６４，１２８，２５６（図１５の４項：理想値４）となる。
【００５７】
このように、本第３実施例では、最も重みの小さいサブフィールド（ＳＦ０）の発光パルス数を基準とし、その輝度に基づいて理想の輝度比率を実現するための各サブフィールド（ＳＦ０〜ＳＦ６）の発光パルス数を決定する（理想値１〜理想値４）。ここで、これら理想値１〜理想値４の切り換えは、例えば、理想値の総発光パルス数が電力制御により決定される総発光パルス数よりも大きく、且つ、最も近い総発光パルス数の理想値を発光パルス数の固定および発光パルス数の加算・減算の基準とする。具体的に、例えば、電力制御により決定する総発光パルス数が３５０発であれば、基準となる各サブフィールドの理想発光パルス数は、図１５の３項（理想値３）となる。
【００５８】
或いは、理想値１〜理想値４の切り換えは、例えば、理想値の総発光パルス数が電力制御により決定される総発光パルス数に最も近い総発光パルス数の理想値を発光パルス数の固定および発光パルス数の加算・減算の基準としてもよい。なお、例えば、電力制御により決定される総発光パルス数が基準とした理想値の総発光パルス数よりも大きい場合には、例えば、重みの小さいサブフィールド（ＳＦ０〜ＳＦ２）の輝度比率を固定とし、重みの大きいサブフィールド（ＳＦ３〜ＳＦ６）に対して発光パルス数を増加するように構成してもよい。この場合、例えば、電力制御により決定する総発光パルス数が３００発であれば、基準となる各サブフィールドの理想発光パルス数は、図１５の２項（理想値２）となる。
【００５９】
図１６は本発明に適用する誤差拡散処理を説明するための図であり、図１７は図１６に示す誤差拡散処理を実現するための一例を示す回路図である。
【００６０】
上述した各実施例において使用される誤差拡散処理、すなわち、図８における誤差拡散処理部２０２において行われる誤差拡散処理は、従来より知られている手法を適用することができ、例えば、次のようなものである。
【００６１】
まず、図１６に示されるように、画像表示中の全ての画素をそれぞれ所定の中間調画像データを表示させる場合、特定の画素部分Ｐ0に注目し、この特定の画素部分Ｐ0が属するラインｎとその次に走査されるラインｎ＋１に注目する。さらに、特定の画素部分Ｐ0に対して走査方向に向かって１つ隣の画素部分Ｐ1と、ラインｎ＋１においてＰ0の左下、下、右下の位置にある各画素部分Ｐ2、Ｐ3、Ｐ4の計４画素部分に対して、誤差データを所定の割合で分配する。ここで、上記の誤差拡散処理に使用される誤差拡散処理演算回路も従来より知られているものを適用することができ、その一例が図１７に示される。
【００６２】
すなわち、図１７に示されるように、例えば、中間調画像データＤIN(13〜0)は、演算手段ＯＰ１に入力され、この演算手段ＯＰ１の出力は、第１の遅延手段Ｄ１を介して出力ＤOUT(7〜0)に出力する際、第２の遅延手段Ｄ２を介して演算手段ＯＰ２のＩ４端子に入力され、これにより、画素部分Ｐ4に分配される誤差データが生成される。また、第１の遅延手段Ｄ１を介した演算手段ＯＰ１の出力は、直接演算手段ＯＰ２のＩ１端子に入力され、これにより、画素部分Ｐ1に分配される誤差データが生成される。ここで、第１の遅延手段Ｄ１は１ドット分の遅延機能（１ＤＴ）を有し、また、第２の遅延手段Ｄ２は１ライン−２ドット分の遅延機能（１Ｈ−２ＤＴ）を有している。
【００６３】
さらに、第２の遅延手段Ｄ２の出力は、第３の遅延手段Ｄ３を介して演算手段ＯＰ２のＩ３端子に入力され、これにより、画素部分Ｐ3に分配される誤差データが生成され、また、第３の遅延手段Ｄ３の出力は、第４の遅延手段Ｄ４を介して演算手段ＯＰ２のＩ２端子に入力することにより、画素部分Ｐ2に分配される誤差データが生成される。ここで、第３の遅延手段Ｄ３は１ドット分の遅延機能（１ＤＴ）を有し、また、第４の遅延手段Ｄ４も１ドット分の遅延機能（１ＤＴ）を有している。
【００６４】
上述した誤差拡散法は一般的なものであり、図１６における任意の点Ｐ0の誤差を周囲の点Ｐ1、Ｐ2、Ｐ3、Ｐ4に拡散し、その値をＰ1＝（７／１６）×Ｐ0、Ｐ2＝（１／１６）×Ｐ0、Ｐ3＝（５／１６）×Ｐ0、Ｐ4＝（３／１６）×Ｐ0のように配分する。そして、左から右のドットへ、また、上のラインから下のラインへ順次処理を行うことで誤差を拡散して多階調化を実現する。
【００６５】
また、図１７に示す誤差拡散処理部の演算回路では、データ入力の下位ビットとそれ以下のビットを幾つか取り、ドットまたはラインの遅延素子Ｄ１〜Ｄ４を用いて演算手段ＯＰ２の入力Ｉ１〜Ｉ４に供給する信号の位相を合わせ、その演算手段ＯＰ２により上述したような誤差拡散を行い、そして、出力データの再開のビットが立ち上がるまで誤差が溜まったら、出力として１階調高い値を出力する。なお、残った誤差は、再度演算手段ＯＰ１にフィードバックされるため、１フィールド内で誤差が無くなることはなく、擬似的な階調数の増加が可能になる。なお、本発明に適用する誤差拡散処理は、上記のものに限定されないのはいうまでもない。
【００６６】
【発明の効果】
以上、詳述したように、本発明によれば、階調の連続性を保持したまま電力制御を行うことが可能な表示装置およびその駆動方法を提供することができる。
【図面の簡単な説明】
【図１】本発明が適用される表示装置の一例を示すブロック図である。
【図２】図１に示す表示装置における駆動方法の一例を説明するための図である。
【図３】総発光パルス数を各サブフィールドの重み比に応じて振り分ける様子を示す図である。
【図４】従来の表示装置の駆動方法における課題を説明するための図である。
【図５】関連技術としての表示装置における駆動方法の一例を説明するための図である。
【図６】図５の駆動方法を実現するための一構成例を示すブロック図である。
【図７】関連技術としての表示装置における駆動方法における課題を説明するための図である。
【図８】本発明に係る表示装置の駆動方法を実現するための一構成例を示すブロック図である。
【図９】本発明に係る表示装置における階調連続性補償回路の一例を示すブロック回路図である。
【図１０】図９に示す階調連続性補償回路の動作の一例を説明するためのフローチャートである。
【図１１】図９に示す階調連続性補償回路の動作の一例を説明するための図である。
【図１２】図９に示す階調連続性補償回路の動作の一例を説明するための出力輝度と入力階調との関係を示す図である。
【図１３】本発明に係る表示装置の駆動方法の第１実施例を説明するための図である。
【図１４】本発明に係る表示装置の駆動方法の第２実施例を説明するための図である。
【図１５】本発明に係る表示装置の駆動方法の第３実施例を説明するための図である。
【図１６】本発明に適用する誤差拡散処理を説明するための図である。
【図１７】図１６に示す誤差拡散処理を実現するための一例を示す回路図である。
【符号の説明】
１…データコンバータ
２…フレームメモリ
３…電力制御回路
４…ドライバ制御回路
５…電源
６…アドレスドライバ
７…Ｙドライバ
８…Ｘドライバ
９…表示パネル
２００…階調連続性補償回路
２０１…画像処理部
２０２…誤差拡散処理部
２０３…加算・減算判定部
２０４…加算・減算処理演算部
２０５…ＳＦデータ変換部
【図１】
0005049445.tif 000002
【図２】
0005049445.tif 000003
【図３】
0005049445.tif 000004
【図４】
0005049445.tif 000005
【図５】
0005049445.tif 000006
【図６】
0005049445.tif 000007
【図７】
0005049445.tif 000008
【図８】
0005049445.tif 000009
【図９】
0005049445.tif 000010
【図１０】
0005049445.tif 000011
【図１１】
0005049445.tif 000012
【図１２】
0005049445.tif 000013
【図１３】
0005049445.tif 000014
【図１４】
0005049445.tif 000015
【図１５】
0005049445.tif 000016
【図１６】
0005049445.tif 000017
【図１７】
0005049445.tif 000018